(57)【要約】表示装置のカバー（１００）に対する表示パネル（２００）の取付け構造であって、上記表示パネル（２００）は、その周部において、この表示パネル（２００）の厚み方向に貫通するねじ通し孔と、この表示パネル（２００）の上記カバー（１００）側の面において上記ねじ通し孔を囲むように形成され、上記表示パネル（２００）の厚み方向に延びるガイド壁（２３０）とをもつ取付け部（２１０）を複数箇所備えており、上記カバー（１００）は、各取付け部（２１０）と対応するようにして、ねじをねじ込むことができ、かつ上記表示パネル（２００）の厚み方向に延びるように立設されたボス部（３００）を複数箇所備えているとともに、各ボス部（３００）には、上記ガイド壁（２３０）に弾接することができるとともに、ボス部（３００）の軸線と交差する方向に弾性変形可能な少なくもと２つのガイド部材（３３０，３４０）が一体的に形成されており、各ボス部（３００）のガイド部材（３３０，３４０）が各取付け部（２１０）のガイド壁（２３０）に弾接させられた状態において、各取付け部（２１０）のねじ通し孔に通したねじをそれぞれ各ボス部（３００）にねじ込む。
2005017858.tif 000002
【特許請求の範囲】
【請求項１】
表示装置のカバーに対する表示パネルの取付け構造であって、
上記表示パネルは、その周部において、この表示パネルの厚み方向に貫通するねじ通し孔と、この表示パネルの上記カバー側の面において上記ねじ通し孔を囲むように形成され、上記表示パネルの厚み方向に延びるガイド壁とをもつ取付け部を複数箇所備えており、
上記カバーは、各取付け部と対応するようにして、ねじをねじ込むことができ、かつ上記表示パネルの厚み方向に延びるように立設されたボス部を複数箇所備えているとともに、各ボス部には、上記ガイド壁に弾接することができるとともに、ボス部の軸線と交差する方向に弾性変形可能な少なくとも２つのガイド部材が一体的に形成されており、
各ボス部のガイド部材が各取付け部のガイド壁に弾接させられた状態において、各取付け部のねじ通し孔に通したねじをそれぞれ各ボス部にねじ込んだことを特徴とする、表示パネルの取付け構造。
【請求項２】
上記表示パネルは正面視矩形状をしているとともに、上記取付け部は上記表示パネルの左右の側縁に沿って、それぞれ複数箇所形成されているとともに、各取付け部のガイド壁は、上記表示パネルの側縁から内方に向けて延び、互いに対向する第１壁および第２壁と、これら第１壁および第２壁をつなぐようにして、上記表示パネルの側縁と平行に延びる第３壁とを備えている、請求項１に記載の表示パネルの取付け構造。
【請求項３】
上記２つのガイド部材のうちの一方は、各ガイド壁における第１壁に弾接させられるとともに、他方は、各ガイド壁における第２壁に弾接させられており、かつ、上記２つのガイド部材のうちの少なくとも一方は、各ガイド壁における第３壁にも弾接させられている、請求項２に記載の表示パネルの取付け構造。
【請求項４】
上記ガイド壁は、上記表示パネルの上記カバー側の面に上記表示パネルの側縁に開放する凹部を形成することにより形成されている、請求項２に記載の表示パネルの取付け構造。
【請求項５】
上記ガイド部材の先端部には、テーパ部が形成されている、請求項１に記載の表示パネルの取付け構造。
【請求項６】
上記カバーは、表示窓が開口するフロントカバーである、請求項１に記載の表示パネルの取付け構造。
【発明の詳細な説明】
【技術分野】  本発明は、表示パネルの取付け構造に関し、より詳しくは、液晶表示パネル等の表示パネルを表示装置のカバーに対して位置決めしつつ取付けるための構造に関する。
【背景技術】  たとえば、特開２００１−２７７５２号公報に開示されているように、液晶表示パネルを用いた表示装置においては、この表示装置のカバーに液晶表示パネルが取付けられて組み立てられる。同公報に示された液晶表示パネルの取付け構造は、液晶表示パネルの周部にねじ通し孔を設けた取付け部を複数箇所設ける一方、表示装置のカバーには、上記各取付け部と対応したボス部を立設し、各取付け部のねじ通し孔に通したタッピングねじをそれぞれ上記ボス部にねじ込むように構成されている。
しかしながら、上記の取付け構造においては、カバーに対する液晶表示パネルの位置調整を行なう都合、あるいは、カバーにおける各ボス部の位置の公差や液晶表示パネルにおける各取付け部の位置の公差を吸収する都合等から、取付け部のねじ通し孔の内径はタッピングねじの外径よりも大としてある。したがって、カバーに対する液晶表示パネルの位置が常に一定にならず、上記取付け部のねじ通し孔とこれに通されるタッピングねじとの間のすきまが許す範囲内で、液晶表示パネルがカバーに対して左右方向、あるいは上下方向に誤差を生じた状態で、あるいは液晶表示パネルがカバーに対して傾斜した状態で固定されてしまう可能性がある。
また、上記公報に示された構造においては、液晶表示パネルは、その裏面側に位置するカバーに取付けられており、表示窓を有するフロントカバーは、上記裏面側のカバーに対して取付けられている。したがって、上記した誤差に裏面側カバーとフロントカバーとの間の取付け誤差が加算されて、上記液晶表示パネルの有効表示領域がフロントカバーの表示窓に対して適正な位置をとることができない場合がでてくる。
【発明の開示】
したがって、本発明の目的は、表示パネルを表示装置のカバーに対して取付けるに際し、常に両者の位置関係を一定の関係とすることができるようにした表示パネルの取付け構造を提供することである。
本発明によって提供される表示パネルの取付け構造は、表示装置のカバーに対する表示パネルの取付け構造であって、
上記表示パネルは、その周部において、この表示パネルの厚み方向に貫通するねじ通し孔と、この表示パネルの上記カバー側の面において上記ねじ通し孔を囲むように形成され、上記表示パネルの厚み方向に延びるガイド壁とをもつ取付け部を複数箇所備えており、
上記カバーは、各取付け部と対応するようにして、ねじをねじ込むことができ、かつ上記表示パネルの厚み方向に延びるように立設されたボス部を複数箇所備えているとともに、各ボス部には、上記ガイド壁に弾接することができるとともに、ボス部の軸線と交差する方向に弾性変形可能な少なくとも２つのガイド部材が一体的に形成されており、
各ボス部のガイド部材が各取付け部のガイド壁に弾接させられた状態において、各取付け部のねじ通し孔に通したねじをそれぞれ各ボス部にねじ込んだことを特徴としている。
好ましくは、上記表示パネルは正面視矩形状をしているとともに、上記取付け部は上記表示パネルの左右の側縁に沿って、それぞれ複数箇所形成されており、各取付け部のガイド壁は、上記表示パネルの側縁から内方に向けて延び、かつ互いに対向する第１壁および第２壁と、これら第１壁および第２壁をつなぐようにして、上記表示パネルの側縁と平行に延びる第３壁とを備えている。
好ましくは、上記２つのガイド部材のうちの一方は、各ガイド壁における第１壁に弾接させられるとともに、他方は、各ガイド壁における第２壁に弾接させられており、かつ、上記２つのガイド部材のうちの少なくとも一方は、各ガイド壁における第３壁にも弾接させられている。
好ましくは、上記ガイド壁は、上記表示パネルの上記カバー側の面に上記表示パネルの側縁に開放する凹部を形成することにより形成されている。
好ましくは、上記ガイド部材の先端部には、テーパ部が形成されている。
好ましくは、上記カバーは、表示窓が開口するフロントカバーである。
本発明のその他の特徴および利点は、図面を参照して以下に行う詳細な説明から、より明らかとなろう。
【図面の簡単な説明】  図１は、本発明の一実施形態におけるフロントカバーの裏面斜視図である。
図２は、図１に示されるフロントカバーにおける要部拡大斜視図である。
図３Ａは、本発明の一実施形態における表示パネルの概略正面図である。
図３Ｂは、表示パネルにおける要部拡大斜視図である。
図４は、本発明の一実施形態におけるフロントカバーと表示パネルとの組付け構造を示す裏面図である。
図５は、図４における要部拡大図である。
図６は、図５のＶＩ−ＶＩ線拡大断面図である。
図７は、図５のＶＩＩ−ＶＩＩ線拡大断面図である。
【発明を実施するための最良の形態】  以下、本発明の好ましい実施の形態について、図１〜図７を参照して具体的に説明する。
この実施形態に係る表示パネルの取付け構造は、液晶表示装置のフロントカバーに対して液晶表示パネル等の表示パネルを取付けるためのものである。すなわち、図１に示すフロントカバー１００の裏面に表示パネル２００が取付けられ（図４参照）、さらにこの表示パネル２００の裏面側に位置する裏側カバー（図示略）が、表示パネル２００、あるいはこれを駆動するための制御基板（図示略）を内包するようにして、フロントカバー１００に連結される。
フロントカバー１００は、樹脂成形物であり、矩形の表示窓１１１を開口させた矩形外形の枠状前面部１１０を備えているとともに、この枠状前面部１１０の４辺から裏側に向けて一定前後幅のスカート壁１２０が一体形成されている。枠状前面部１１０の裏面側には、左右の側面のスカート壁１２０の内面とリブ１２１を介して隣接させるようにして、枠状前面部１１０の厚み方向、あるいは表示パネル２００の厚み方向に延びるボス部３００が上下に２箇所、合計４箇所立設されている。このボス部３００は、後記するように、表示パネル２００を適正に位置決めしつつ取り付けることができるように、形成されている。なお、このフロントカバー１００の内面には、補強リブ１２２や制御基板保持用のボス部１２３等が、適宜形成されている。
表示パネル２００の取付け用の上記ボス部３００の詳細は、図２、図５、図６および図７に表れている。このボス部３００は、タッピングねじ３５０をねじ込むための中心孔３１０を有するが、先端方は、上記リブ１２１とつながる略半円筒部３２０と、この略半円筒部３２０に対して縦方向のスリット３０１、ないしは上記中心孔３１０を挟んで反対側の、弾性変形可能な２つのガイド部材３３０，３４０とに分割されている。この２つのガイド部材３３０，３４０は、横方向のスリット３０２を挟んだ略４分円筒形をしており、それらの端面位置は上記略半円筒部３２０の端面位置と同じである。こうして、これら２つのガイド部材３３０，３４０と上記略半円筒部３２０とが協働して、上記中心孔３１０を囲む筒状部を形成している。この２つのガイド部材３３０，３４０はまた、その基部が薄肉状となっていることにより（図６、図７参照）、ボス部３００の軸線と交差する方向に弾性的に撓み変形可能である。
この２つのガイド部材３３０，３４０の先端部は、外向フランジ状となっていて、その周縁部がボス部３００の基部外周よりも外方に出っ張らされている。また、この２つのガイド部材３３０，３４０の先端部の内面部は、ラッパ状に抉られており、タッピングねじ３５０を上記中心孔３１０に導く機能を有する。さらに、この２つの部材３３０，３４０の先端部における縦方向の外方端には、ガイド用突起３３１，３４１がそれぞれ形成されているとともに、このガイド用突起３３１，３４１の端部には、面取り状のテーパ部３３１ａ，３４１ａが形成されている。
上記構成のボス部３００は、とりわけ上記２つのガイド部材３３０，３４０が、表示パネル２００の位置決めにおいて重要な役割を果たすが、かかる点については、後述する。
表示パネル２００は、液晶表示パネルなどであって、所定の厚みを有する正面視矩形状の部材であり、上記フロントカバー１００の裏面側に、このフロントカバー１００の表示窓１１１から表示部が外部に臨ませられるようにして取付けられる。そのため、この表示パネル２００は、フロントカバー１００の上記スカート壁１２０の内側に余裕をもって嵌まり込む外形寸法を有しているとともに、周部には、フロントカバー１００に設けた上記４箇所のボス部３００と対応するようにして、左右側縁に沿って、それぞれ２箇所、合計４箇所の取付け部２１０が形成されている。
各取付け部２１０は、図３Ａおよび図３Ｂに良く表れているように、表示パネル２００の周部における上記フロントカバー１００の裏面を向く面に、表示パネル２００の側縁に開放する凹部２２０を形成して薄肉部２１１を設けるとともに、この薄肉部２１１に、ねじ通し孔２１２を貫通形成することによって構成されている。このねじ通し孔２１２の内径は、これに通されるタッピングねじ３５０の外形よりも、大としてある。
図に示す実施形態では、上記凹部２２０は略矩形としてあり、その結果、この凹部２２０により、表示パネル２００の側縁から内方に向けて延び、かつ互いに対向する第１壁２３１および第２壁２３２と、これら第１壁２３１および第２壁２３２を、それらの奥端どうしをつなぐようにして、表示パネル２００の側縁と略平行に延びる第３壁２３３とからなるガイド壁２３０が形成される。上記凹部２２０の表示パネル２００の厚み方向の深さ、すなわち、上記ガイド壁２３０の表示パネル２００の厚み方向の寸法は、概ね、フロントカバー１００側の各ボス部３００の高さ寸法と対応させられている。
各取付け部２１０のガイド壁２３０と各ボス部３００との寸法関係は、次のように規定される。
まず、ガイド壁２３０の第１壁２３１および第２壁２３２間の対向寸法は、上記ボス部３００における２つのガイド部材３３０，３４０のガイド用突起３３１，３４１の自然状態における外面間寸法よりも小としてある。そうして、表示パネル２００における横方向について互いに反対側に位置する取付け部２１０の第３壁２３３どうしの間隔は、横方向に対向して位置する２つのボス部３００のガイド部材３３０，３４０の自然状態における内端縁どうしの間隔よりも大としてある。
上記構成の表示パネル２００は、好ましくは水平に支持した上記構成のフロントカバー１００に対し、各取付け部２１０の凹部２２０が各ボス部３００に嵌まり込むように位置させた上で、ねじ通し孔２１２に通したタッピングねじ３５０を各ボス部３００の中心孔３１０にねじ込むことによって取付けられるが、これに際し、表示パネル２００は、フロントカバー１００に対し、次のようにして位置決めされる。
すなわち、上記したように、各ボス部３００における２つのガイド部材３３０，３４０のガイド用突起３３１，３４１の外面間寸法は、自然状態において、各取付け部２１０における第１壁２３１および第２壁２３２間の対向寸法よりも大である。したがって、ボス部３００が取付け部２１０の凹部２２０に嵌まり込んだとき、２つのガイド部材３３０，３４０は互いに近接するように弾性的に強制変形させられ、それらのガイド用突起３３１，３４１は、図５および図６に表れているように、第１壁２３１および第２壁２３２に弾接させられた恰好となる。その結果、各ガイド用突起３３１，３４１の第１壁２３１および第２壁２３２に対する弾接力が平衡するように、各ボス部３００に対する各取付け部２１０の上下方向（表示パネル２００の側縁の延びる方向）の位置関係が適正かつ自動的に決定される。このことは、フロントカバー１００に対する表示パネル２００の上下方向の位置が、適正かつ自動的に調整されることを意味する。なお、上記したように、ガイド部材３３０，３４０のガイド用突起３３１，３４１には、テーパ部３３１ａ，３４１ａが形成されているので、ボス部３００の上記取付け部２１０の凹部２２０に対する嵌め込み操作を円滑に行うことができる。
また、上記したように、表示パネル２００の横方向について互いに反対側に位置する取付け部２１０における第３壁２３３どうしの間隔は、これらの取付け部２１０と対応するボス部３００におけるガイド部材３３０，３４０の内端縁間寸法よりも大である。したがって、ボス部３００が取付け部２１０の凹部２２０に嵌まり込んだとき、ガイド部材３３０，３４０は互いの内端縁間寸法が拡大するように弾性的に強制変形させられ、図７に表れているように、ガイド部材３３０，３４０はそれぞれ第３壁２３３に弾接させられた恰好となる。その結果、横方向に対向して位置するボス部３００のガイド部材３３０，３４０の各第３壁２３３に対する弾接力が平衡するように、各ボス部３００に対する各取付け部２１０の横方向の位置関係が、適正かつ自動的に決定される。このことは、フロントカバー１００に対する表示パネル２００の横方向の位置が、適正かつ自動的に調整されることを意味する。
このような調整後の位置は、上記したようにタッピングねじ３５０をボス部３００の中心孔３１０にねじ込むことにより、固定される。
本発明は、上記した実施形態に限定されるものではなく、各請求項に記載した事項の範囲内でのあらゆる変更は、すべて本発明の範囲に含まれる。
表示パネルとしては、液晶表示パネル以外に、プラズマ表示パネル等、パネル状の表示装置に適用可能である。
実施形態は、フロントカバーに表示パネルを取付けるものであるが、裏面側のカバーに表示パネルを取付ける構造として本発明を適用することも、もちろん可能である。
実施形態では、ボス部のガイド部材が弾接させられるガイド壁は、表示パネルの周部に開放する凹部を形成することによって形成されているが、表示パネルのカバー側の面に、ガイド壁をもつ突起を立設することによって形成しても、もちろんよい。
【図１】
2005017858.tif 000003
【図２】
2005017858.tif 000004
2005017858.tif 000005
【図４】
2005017858.tif 000006
【図５】
2005017858.tif 000007
【図６】
2005017858.tif 000008
【図７】
2005017858.tif 000009
【国際調査報告】
2005017858.tif 000010
2005017858.tif 000011
2005017858.tif 000012
2005017858.tif 000013